(57)【要約】【課題】時計の歩度を自動的に調整することができるように構成した機械式時計を提供する。【解決手段】本発明の機械式時計は、ぜんまい１２２がほどける作用に基づいて回転される緩急調整輪列１７０〜１８４と、ぜんまい１２２を巻き上げる作用に基づいて回転される緩急戻し輪列１９０とを備える。ぜんまい１２２がほどけるにつれて、緩急調整輪列が調速機構（てんぷ１４０、緩急針１８６）に対して作動して、時計の歩度を進めるように構成され、ぜんまい１２２を巻き上げるにつれて、緩急戻し輪列１９０が調速機構１４０、１８６に対して作動して、時計の歩度を遅らせるように構成される。【選択図】図１
2007187547.tif 000002
【特許請求の範囲】
【請求項１】
動力源を構成するぜんまい（１２２）と、調速機構（１４０、１８６）とを備えた機械式時計において、
前記ぜんまい（１２２）がほどける作用に基づいて回転される緩急調整輪列（１７０、１７２、１７４、１８０、１８２、１８４）と、
前記ぜんまい（１２２）を巻き上げる作用に基づいて回転される緩急戻し輪列（１９０）とを備え、
前記ぜんまい（１２２）がほどけるにつれて、前記緩急調整輪列（１７０、１７２、１７４、１８０、１８２、１８４）が前記調速機構（１４０、１８６）に対して作動して、時計の歩度を進めるように構成され、前記ぜんまい（１２２）を巻き上げるにつれて、前記緩急戻し輪列（１９０）が前記調速機構（１４０、１８６）に対して作動して、時計の歩度を遅らせるように構成される、
ことを特徴とする機械式時計。
【請求項２】
動力源を構成するぜんまい（１２２）と、調速機構を構成するてんぷ（１４０）とを備えた機械式時計において、
ぜんまい（１２２）、香箱真（１２４）、香箱歯車（１２６）を含む香箱車（１２０）と、
前記香箱歯車（１２６）の回転に基づいて回転される緩急調整輪列（１７０、１７２、１７４、１８０、１８２、１８４）と、
前記緩急調整輪列の回転に基づいて第１の方向に移動される緩急針（１８６）と、
てん輪（１４０ａ）及びひげぜんまい（１４０ｂ）を含むてんぷ（１４０）と、
前記ひげぜんまい（１４０ｂ）に接触する部分を有するひげ棒（１８６ｂ）を含む緩急針（１８６）と、
前記香箱真（１２４）の回転に基づいて回転される緩急戻し輪列（１９０）とを備え、
前記緩急針（１８６）は、前記ぜんまい（１２２）がほどけて前記香箱歯車（１２６）が回転するにつれて第１の方向に移動して、前記ひげぜんまい（１４０ｂ）の有効長さを短くするように構成され、
前記緩急針（１８６）は、前記香箱真（１２４）が回転されてぜんまい（１２２）を巻き上げるにつれて、前記第１の方向とは逆の第２の方向に移動して、前記ひげぜんまい（１４０ｂ）の有効長さを長くするように構成される、
ことを特徴とする機械式時計。
【請求項３】
前記緩急調整輪列（１７０、１７２、１７４、１８０、１８２、１８４）は、前記香箱歯車（１２６）と一体になって回転される遊星輪列機構（１７０、１７２、１７４）と、前記遊星輪列機構（１７０、１７２、１７４）の回転に基づいて回転される緩急伝え車（１８０、１８２、１８４）とを含み、前記緩急針（１８６）は、前記緩急伝え車（１８０、１８２、１８４）の回転に基づいて回転される緩急針歯車部（１８６ａ）を有することを特徴とする、請求項１に記載の機械式時計。
【請求項４】
香箱伝え歯車（１２７）が、前記香箱歯車（１２６）と一体になって回転されるように設けられ、前記遊星輪列機構（１７０、１７２、１７４）は、前記香箱伝え歯車（１２７）の回転に基づいて回転されることを特徴とする、請求項３に記載の機械式時計。
【請求項５】
前記遊星輪列機構（１７０、１７２、１７４）は、
前記香箱伝え歯車（１２７）の回転に基づいて回転される第１太陽車（１５０）と、
前記第１太陽車（１５０）の回転に基づいて回転される遊星車（１７６）と、
前記遊星車（１７６）の回転に基づいて回転される第２太陽車（１６０）とを備え、
前記緩急伝え車（１８０、１８２、１８４）は、前記遊星車（１７６）の作動に基づいて回転されることを特徴とする、請求項４に記載の機械式時計。
【請求項６】
前記香箱真（１２４）の回転に基づいて回転される緩急戻し車（１９０）を備え、前記前記遊星車（１７６）は、前記緩急戻し車（１９０）の回転に基づいて作動され、前記緩急伝え車（１８０、１８２、１８４）は、前記前記遊星車（１７６）の作動に基づいて回転されることを特徴とする、請求項５に記載の機械式時計。
【発明の詳細な説明】
【技術分野】
【０００１】
本発明は、自動緩急構造を備えた機械式時計に関する。特に、本発明は、ぜんまいがほどける状態に対応して時計の歩度を調整するように構成した、自動緩急構造付き機械式時計に関する。
【０００２】
従来、機械式時計において、ぜんまいが作動することができる残りの時間、すなわち、時計の持続時間の表示を行う機構（パワーリザーブ機構）が開発されている。このようなぜんまい動力蓄積量表示付き時計は遊星歯車機構を用いている。ぜんまい動力蓄積量表示付き時計は、例えば、特開平９−２１８８６号公報（特許文献１）、特開平１１−１８３６４２号公報（特許文献２）などに開示されている。このぜんまい動力蓄積量表示付き時計は、角穴車と、香箱車に噛み合う遊星中間歯車と、遊星中間歯車の偏心部に回転可能に取付けられた遊星車と、遊星かなと噛み合う太陽車と、遊星歯車と噛み合う第二太陽車から構成される遊星歯車機構と、太陽かなと噛み合う表示伝え車と、表示伝えかなと噛み合う表示車と、表示度決めピンと、角穴車及び第二太陽歯車と噛み合う遊星伝え車を備えている。
【０００３】
また、機械式時計は、てんぷを備えており、時計の精度（歩度の進み遅れ）を調整するための緩急針が、てんぷに対して設けられている。代表的な機械式時計の構成の一例は、特開平１０−１０４３６４号公報（特許文献３）に開示されている。
【０００４】
【特許文献１】特開平９−２１８８６号公報
【特許文献２】特開平１１−１８３６４２号公報
【特許文献３】特開平１０−１０４３６４号公報
【発明の開示】
【発明が解決しようとする課題】
【０００５】
従来の機械式時計では、精度調整を行う方法として、作業者は、時計の精度（時計の歩度の進み遅れ）を測定した後、機械式時計の調速機構部品である「ひげ棒」を手で回転させて精度調整を行っていた。すなわち、従来の機械式時計において、自動的に時計の精度（歩度の進み遅れ）を調整する方法は知られていなかった。ここで、「歩度」とは、１日における時計の進み又は遅れを「秒」の単位で示した数値である。例えば、歩度「＋２０秒／日」は、時計が１日につき、２０秒だけ進むことを示し、歩度「−２０秒／日」は、時計が１日につき、２０秒だけ遅れることを示している。
【０００６】
本発明の目的は、機械式時計において、ぜんまいがほどける（ぜんまいのトルクが低下する）につれて時計の歩度が遅れるという性質に着目して、時計の歩度を自動的に調整することができるように構成した機械式時計を提供することにある。
本発明の更なる目的は、小型で薄型の構成部品を用いて、機械式時計のサイズを大きくすることなしに、機械式時計の精度を向上させることにある。
【課題を解決するための手段】
【０００７】
本発明は、動力源を構成するぜんまいと、調速機構とを備えた機械式時計において、ぜんまいがほどける作用に基づいて回転される緩急調整輪列と、ぜんまいを巻き上げる作用に基づいて回転される緩急戻し輪列とを備えるように構成した。この機械式時計は、ぜんまいがほどけるにつれて、緩急調整輪列が調速機構に対して作動して、時計の歩度を進めるように構成され、ぜんまいを巻き上げるにつれて、緩急戻し輪列が調速機構に対して作動して、時計の歩度を遅らせるように構成されることを特徴とする。このような構成により、時計の歩度を自動的に調整することができるようにすることができる。
【０００８】
また、本発明は、動力源を構成するぜんまいと、調速機構を構成するてんぷとを備えた機械式時計において、ぜんまい、香箱真、香箱歯車を含む香箱車と、緩急針基づいて回転される緩急調整輪列と、緩急調整輪列の回転に基づいて第１の方向に移動される緩急針と、てん輪及びひげぜんまいを含むてんぷと、ひげぜんまいに接触する部分を有するひげ棒を含む緩急針と、香箱真の回転に基づいて回転される緩急戻し輪列とを備えるように構成した。この機械式時計においては、緩急針は、ぜんまいがほどけて香箱歯車が回転するにつれて第１の方向に移動して、ひげぜんまいの有効長さを短くするように構成される。また、前記緩急針は、香箱真が回転されてぜんまいを巻き上げるにつれて、前記第１の方向とは逆の第２の方向に移動して、ひげぜんまいの有効長さを長くするように構成される。本発明の機械式時計においては、調速機構部品である緩急針を、ぜんまいがほどけた量に応じて自動的に時計の歩度が進む方向に回転させる機構を設けている。したがって、香箱歯車の回転に応じて、ぜんまいがほどけて、時計の歩度が遅れるときに、緩急調整輪列を介して緩急針を回転させることによって、ぜんまいがほどけてきても、時計の歩度を一定の値に保つことができるようにしている。すなわち、このような構成により、ぜんまいがほどける状態に応じて、ひげぜんまいの有効長さを自動的に調整して、時計の歩度を自動的に調整することができるようにすることができる。
【０００９】
また、本発明の機械式時計においては、前記緩急調整輪列は、香箱歯車と一体になって回転される遊星輪列機構と、前記遊星輪列機構の回転に基づいて回転される緩急伝え車とを含み、前記緩急針は、前記緩急伝え車の回転に基づいて回転される緩急針歯車部を有するように構成するのがよい。さらに、本発明の機械式時計においては、香箱伝え歯車が、香箱歯車と一体になって回転されるように設けられ、前記遊星輪列機構は、前記香箱伝え歯車の回転に基づいて回転されるように構成するのがよい。このような構成により、小型で薄型の輪列構成部品を用いて、機械式時計のサイズを大きくすることなしに、機械式時計の精度を向上させることができる。
【００１０】
また、本発明の機械式時計においては、前記遊星輪列機構は、香箱伝え歯車の回転に基づいて回転される第１太陽車と、第１太陽車の回転に基づいて回転される遊星車と、遊星車の回転に基づいて回転される第２太陽車とを備え、緩急伝え車は、前記遊星車の作動に基づいて回転されるように構成するのが好ましい。また、本発明の機械式時計においては、香箱真の回転に基づいて回転される緩急戻し車を備え、前記前記遊星車は、前記緩急戻し車の回転に基づいて作動され、前記緩急伝え車は、前記前記遊星車の作動に基づいて回転されるように構成するのが好ましい。このような構成により、小型で薄型の輪列構成部品を用いて、機械式時計の精度を向上させることができる。
【発明の効果】
【００１１】
本発明により、ぜんまいがほどける（ぜんまいのトルクが低下する）につれて時計の歩度が遅れるおそれがほとんどないので、機械式時計の精度を向上させることができる。すなわち、本発明により、小型で薄型の構成部品を用いて、機械式時計のサイズを大きくすることなしに、高精度の機械式時計を実現することができる。
【発明を実施するための最良の形態】
【００１２】
以下に、本発明の実施の形態を図面に基づいて説明する。
（１）本発明の機械式時計の構成：
図１から図３を参照すると、本発明の機械式時計の実施の形態において、ムーブメント１００は、地板１０２と、一番受１０４と、輪列受１０６と、てんぷ受１０８とを備える。ここで、「ムーブメント」とは、駆動部分を含む時計の機械体を示す。「コンプリート」とは、時計の機械体即ちムーブメント１００を時計ケースに収容した時計の完成体を示す。地板１０２の「裏側」とは、地板１０２の両面のうちで、時計ケースのガラスに近い方の側を示し、地板１０２の「表側」とは、地板１０２の両面のうちで、時計ケースのガラスから遠い方の側を示す。巻真１１８が地板１０２に対して回転可能なように組み込まれる。文字板２０４がムーブメント１００において、時計ケースのガラスに近い方の側に配置される。
【００１３】
本発明の実施の形態では、表輪列（香箱車、二番車、三番車、四番車など）と、脱進調速機構（てんぷ、アンクル、がんぎ車など）と、自動巻機構（回転錘、つめレバー、切換伝え車、伝え車など）と、切換機構１１６（おしどり、かんぬき、かんぬき押さえなど）は、ムーブメント１００の表側に配置される。カレンダ機構（図示せず）は、ムーブメント１００の裏側に配置される。二番車１２４が地板１０２の中心に回転可能に組み込まれる。二番車１２４は地板１０２と二番受(図示せず)との間に組み込まれる。筒かな２２４が二番車１２４の針取付け部に近い方の先端に隣接した外周部分にスリップ可能に、地板１０２の裏側に組み込まれる。筒かな２２４は、二番車１２４と一体に回転することができるようになっている。
【００１４】
香箱車１２０が地板１０２と一番受１０４との間に回転可能に組み込まれる。香箱車１２０はぜんまい１２２と、香箱真１２４と、香箱歯車１２６と、香箱ふた１２８とを有する。ぜんまい１２２は機械式時計の動力源を構成する。香箱歯車１２６は二番車１２４の二番かなに噛み合う。三番車１３１が地板１０２と一番受１０４との間に回転可能に組み込まれる。二番車１２４の二番歯車は、三番かなに噛み合う。四番車１３２が二番受(図示せず)と一番受１０４との間に回転可能に組み込まれる。三番車１３１の三番歯車は、四番車１３２の四番かなに噛み合う。がんぎ車１３４が地板１０２と一番受１０４との間に回転可能に組み込まれる。四番車１３２の四番歯車は、がんぎ車１３４のがんぎかなに噛み合う。アンクル１３６が地板１０２とアンクル受(図示せず)との間に揺動可能に組み込まれる。アンクル１３６は、２つの爪石及びけん先を有する。がんぎ車１３４のがんぎ歯車は爪石と係合する。てんぷ１４０が、地板１０２と、てんぷ受１０８との間に回転可能に組み込まれる。
【００１５】
てんぷ１４０は、てん輪１４０ａと、ひげぜんまい１４０ｂと、てん真１４０ｃと、振り石１４０ｄとを有する。アンクル１３６のけん先は、てんぷ１４０の振り石と係合することができるように構成されている。緩急針１８６は、てんぷ受１０８に対して回転可能に設けられる。緩急針１８６は、てんぷ１４０の回転中心を基準にして回転可能に設けられるのが好ましい。緩急針１８６は、緩急針本体１８６ｄと、緩急針歯車部１８６ａと、ひげ棒１８６ｂと、ひげ受１８６ｃとを含む。緩急針基準穴が緩急針本体１８６ｄの回転中心部に設けられる。緩急針基準穴は、てんぷ受１０８に固定されたてんぷ上軸受の外周部分に回転可能なように、隙間をもって嵌め込まれる。緩急針歯車部１８６ａは、緩急針本体１８６ｄの外周部分に設けられる。緩急針歯車部１８６ａは、例えば、開角が２０度〜５０度の範囲にあるように形成される。ひげ棒１８６ｂと、ひげ受１８６ｃは、緩急針本体１８６ｄの地板１０２がある側に、嵌め込みなどの方法によって固定される。或いは、ひげ棒１８６ｂと、ひげ受１８６ｃを一体に形成して、１個のひげ受け部材を用いることもできる。或いは、緩急針歯車部にひげ棒と、ひげ受、又は、ひげ受け部材を固定して、このような緩急針歯車部を緩急針本体１８６ｄに対して回転可能なように構成することもできる。
【００１６】
ひげぜんまい１４０ｂの外側端部に近い部分が、ひげ棒１８６ｂと、ひげ受１８６ｃとの間に配置される。ひげぜんまい１４０ｂの外側端部に近い部分が、ひげ棒１８６ｂに接触することによって、ひげぜんまい１４０ｂの有効長さを定めることができるように構成されている。ひげぜんまい１４０ｂの有効長さが短くなると、時計の歩度は進むように構成され、ひげぜんまい１４０ｂの有効長さが長くなると、時計の歩度は遅れるように構成されている。ひげ持ち受１９４が、てんぷ受１０８に取り付けられる。ひげ持ち受１９４は、てんぷ１４０の回転中心を基準にして、てんぷ受１０８に対して回転可能に設けることができる。ひげぜんまい１４０ｂの外側端部は、ひげ持ち受１９４に固定したひげ持ち１９４ｂに対して固定される。ひげぜんまい１４０ｂの内側端部は、てん真１４０ｃに対して固定される。筒車２３０が地板１０２の裏側に回転可能に組み込まれる。日の裏車(図示せず)が地板１０２の裏側に回転可能に組み込まれる。日の裏車の日の裏歯車が筒かなに噛み合う。日の裏車の日の裏かなが筒車１４４の歯車部に噛み合うように構成されている。筒車２３０の回転中心と、筒かな２２４の回転中心と、四番車１３２の回転中心とは、同じ位置に配置される。
【００１７】
自動巻機構が一番受１０４に対して組み込まれる。自動巻機構は、回転錘１１４と、一番伝え車（図示せず）と、つめレバー（図示せず）と、二番伝え車（図示せず）とを含むように構成される。二番巻伝え車（図示せず）の回転に基づいて、ぜんまいを巻くように構成される。ぜんまい１２２が巻き戻される（解放される）ことにより、香箱歯車１２６は１つの方向に回転し、表輪列及び裏輪列の回転を介して、時針、分針、秒針などの指針により時刻情報を表示することができる。時針(図示せず)は筒車２３０に取り付けられる。分針(図示せず)は筒かな２２４に取り付けられる。秒針(図示せず)は四番車１３２に取り付けられる。
【００１８】
角穴車１３０が香箱真１２４の角軸部に組み込まれる。角穴止めねじ１３０ｂにより、角穴車１３０は香箱真１２４と一体になって回転するように支持される。角穴車１３０は香箱車１２０の回転する方向と同一の方向にのみ回転することができるように構成されている。こはぜ（図示せず）が、角穴車１３０の回転を１つの方向のみに規正するために一番受１０４に設けられる。こはぜにより、角穴車１３０が香箱車１２０の回転する方向と反対の方向に回転するのを阻止するように構成されている。ぜんまい１２２を巻き上げるための手巻き機構（図示せず）と、自動巻機構（図示せず）は、一番受１０４に対して取付けられる。手巻き機構を有する時計では、巻真１１８を回転させることにより、手巻き輪列を介して角穴車１３０を回転させて、ぜんまい１２２を巻き上げることができるように構成されている。自動巻機構を有する時計では、回転錘１１４が回転することにより、自動巻機構（自動巻輪列を含む）を介して角穴車１３０を回転させて、ぜんまい１２２を巻き上げることができるように構成されている。
【００１９】
第２地板２０２が、地板１０２の裏側に組み込まれる。第２輪列受２１０が、第２地板２０２と文字板１０４との間に設けられる。香箱伝え歯車１２７が、香箱歯車１２６と一体になって回転するように、香箱歯車１２６の地板１０２がある側に固定される。第１太陽車１５０が第２輪列受２１０及び地板１０２に対して回転可能に支持される。第１太陽車１５０は第１太陽歯車１５２と、第１太陽かな１５４とを備える。第１太陽車１５０は、地板１０２から第２輪列受２１０に向かう方向に、下細軸部、下軸部、第１太陽歯車１５２、第１太陽かな１５４、第１軸部、第２軸部、第３軸部、上軸部、上細軸部を含む。第１太陽歯車１５２は香箱伝え歯車１２７と噛み合っており、香箱歯車１２６が回転するときに香箱歯車１２６と一体になって回転することができるように構成されている。
【００２０】
遊星中間歯車１７０が、第１太陽車１５０の第１軸部に対して回転可能に配置される。遊星中間歯車１７０の回転中心は、第１太陽車１５０の回転中心と同じである。第１遊星車１７２が、遊星中間歯車１７０の回転中心と異なる箇所を回転中心として、遊星中間歯車１７０に回転可能に配置される。第２遊星車１７４が、遊星中間歯車１７０の回転中心と異なる箇所を回転中心として、遊星中間歯車１７０に回転可能に配置される。第１遊星車１７２と第２遊星車１７４は、ひとまとめにして遊星車１７６を構成し、両者が一体となって遊星中間歯車１７０に対して回転可能なように互いに固定されている。第１遊星車１７２は遊星中間歯車１７０に対して地板１０２がある側の面に位置して回転することができるように構成されている。第２遊星車１７４は、遊星中間歯車１７０の第２輪列受２１０がある側の面に位置して回転することができるように配置されている。
【００２１】
第２太陽車１６０が、第１太陽かな１５４の第２軸部、第３軸部に対して回転可能に組み込まれる。第２太陽車１６０の回転中心は、第１太陽車１５０の回転中心と同じである。第２太陽車１６０は第２太陽歯車１６２と、第２太陽かな１６４とを有する。第２太陽歯車１６２は第２遊星車１７４と噛み合っている。
【００２２】
第１遊星車１７２は第１太陽かな１５４と噛み合い、従って、第１遊星車１７２は第１太陽かな１５４の周囲を公転しながら自転することができるように構成されている。第２遊星車１７４は第２太陽歯車１６２と噛み合い、従って、第２遊星車１７４は第２太陽歯車１６２の周囲を公転しながら自転することができるように構成されている。第１遊星車１７２及び第２遊星車１７４は、一体となって公転しながら自転することができるように構成されている。上述したように、第１太陽車１５０、第２太陽車１６０、第１遊星車１７２、第２遊星車１７４は、遊星輪列機構を構成している。
【００２３】
香箱戻し歯車１２５が、香箱真１２４と一体になって回転するように、第２地板２０２と地板１０２との間に配置される。例えば、香箱戻し歯車１２５の角穴が香箱真１２４の角軸部に嵌め合うように構成することができる。或いは、香箱戻し歯車１２５の一面カット孔が香箱真１２４の一面カット軸部に嵌め合うように構成することができる。緩急戻し車１９０が、第２輪列受２１０及び地板１０２に対して回転可能に支持される。緩急戻し車１９０は緩急戻し歯車１９０ａと、緩急戻しかな１９０ｂとを備える。緩急戻し車１９０は、地板１０２から第２輪列受２１０に向かう方向に、緩急戻し歯車１９０ａ、中間軸部、緩急戻しかな１９０ｂを含む。緩急戻しかな１９０ｂは香箱戻し歯車１２５と噛み合っており、香箱真１２４が回転するときに香箱真１２４と一体になって回転することができるように構成されている。緩急戻し歯車１９０ａは遊星中間歯車１７０と噛み合うように構成される。
【００２４】
第１緩急伝え車１８０が、第２地板２０２及び第２輪列受２１０に対して回転可能に支持される。第１緩急伝え車１８０は、第２太陽かな１６４と噛み合うように構成される。第２緩急伝え車１８２が、地板１０２及び第２輪列受２１０に対して回転可能に支持される。第２緩急伝え車１８２は第２緩急伝え歯車１８２ａと、第２緩急伝えかな１８２ｂとを備える。第１緩急伝え車１８０は、第２緩急伝え歯車１８２ａと噛み合うように構成される。
【００２５】
第３緩急伝え車１８４が、輪列受１０６及び第２輪列受２１０に対して回転可能に支持される。第３緩急伝え車１８４は第３緩急伝え歯車１８４ａと、第３緩急伝えかな１８４ｂとを備える。第２緩急伝えかな１８２ｂは、第２緩急伝え歯車１８２ａと噛み合うように構成される。第３緩急伝えかな１８４ｂは、緩急針歯車部１８６ａと噛み合うように構成される。遊星輪列機構が作動することによって、第１緩急伝え車１８０、第２緩急伝え車１８２、第３緩急伝え車１８４の回転を介して緩急針歯車部１８６ａが回転すると、ひげ棒１８６ｂと、ひげ受１８６ｃは回転することができるように構成される。
【００２６】
本発明の機械式時計では、ぜんまい１２２がほどける作用に基づいて緩急調整輪列が回転し、ぜんまい１２２を巻き上げる作用に基づいて緩急戻し輪列が回転されるように構成さていれる。そして、ぜんまい１２２がほどけるにつれて、前記緩急調整輪列が調速機構（てんぷ１４０、緩急針１８６）に対して作動して、時計の歩度を進めるように構成され、ぜんまい１２２を巻き上げるにつれて、前記緩急戻し輪列が調速機構に対して作動して、時計の歩度を遅らせるように構成されている。
【００２７】
（２）本発明の機械式時計の作用：
（２−１）ぜんまいの巻き上げの作用：
図１から図４を参照すると、ぜんまいが完全に巻き戻された状態において、巻上げ輪列の回転により、角穴車１３０が、図１において矢印１３０Ａで示す反時計周り方向（図２において矢印１３０Ｂで示す時計周り方向）に回転すると、香箱真１２４は図２において時計周り方向に回転する。香箱真１２４が図２において時計周り方向に回転すると、香箱戻し歯車１２５は図２において反時計周り方向に回転する。この状態では、第１太陽車１５０の回転は香箱伝え歯車１２７により規正されているので、第１太陽車１５０は、遊星歯車機構の中の「固定歯車」を構成する。
【００２８】
香箱戻し歯車１２５が図２において反時計周り方向に回転することにより、遊星中間歯車１７０が時計周り方向に回転する。第１太陽車１５０の回転が規正されているので、遊星中間歯車１７０の回転により、第１遊星車１７２及び第２遊星車１７４は、第１太陽かな１５４の周囲を公転しながら自転する。第１遊星車１７２及び第２遊星車１７４は、一体となっているので、第１遊星車１７２は第１太陽かな１５４の周囲を公転しながら自転する。この状態では、第１遊星車１７２及び第２遊星車１７４は時計周り方向に回転する。この第１遊星車１７２及び第２遊星車１７４の回転は、回転中心が変動する「遊星運動」である。従って、この構成により、通常の輪列の減速比に対して大きい輪列減速比を達成することができる。
【００２９】
第２遊星車１７４が回転することにより、第２太陽車１６０は、図２において反時計周り方向に回転する。第２太陽車１６０が回転することにより、第１緩急伝え車１８０は、図２において時計周り方向に回転する。第１緩急伝え車１８０が回転することにより、第２緩急伝え車１８２は、図２において反時計周り方向に回転する。第２緩急伝え車１８２が回転することにより、第３緩急伝え車１８４は、図２において時計周り方向（図１において反時計周り方向）に回転する。第３緩急伝え車１８４が、図１において反時計周り方向に回転することにより、緩急針歯車部１８６ａは、図１において時計周り方向に回転する。緩急針歯車部１８６ａが、図１において時計周り方向に回転すると、ひげぜんまい１４０ｂの外側端部に近い部分と、ひげ棒１８６ｂとの接触位置が変化して、ひげぜんまい１４０ｂの有効長さが長くなり、時計の歩度を遅らせることができる。
【００３０】
（２−２）通常運針のとき（ぜんまいの巻き戻しのとき）の作用：
図１から図４を参照すると、ぜんまいが巻き上げられた状態において、香箱歯車１２６が回転して時刻を表示する。このときは、香箱歯車１２６は、図１において反時計周り方向に回転する。この状態では、角穴車１３０の歯に係合するこはぜ(図示せず)の作用により、角穴車１３０の回転は規正されているので、香箱真１２４の回転も規正され、第２太陽車１６０は遊星歯車機構の中の「固定歯車」を構成する。香箱歯車１２６の回転により、香箱伝え歯車１２７も一体となって、図１において反時計周り方向（図２において時計周り方向）に回転する。香箱伝え歯車１２７が、図２において時計周り方向に回転すると、第１太陽歯車１５２は、図２において反時計周り方向に回転する。遊星中間歯車１７０の回転が規正されているので、第１太陽歯車１５２の回転により、第２遊星車１７４は、公転することなく反時計周り方向に自転する。第１遊星車１７２及び第２遊星車１７４は、一体となっているので、第１遊星車１７２及び第２遊星車１７４は、反時計周り方向に回転する。
【００３１】
第２遊星車１７４が反時計周り方向に回転することにより、第２太陽車１６０は、図２において時計周り方向に回転する。第２太陽車１６０が回転することにより、第１緩急伝え車１８０は、図２において反時計周り方向に回転する。第１緩急伝え車１８０が回転することにより、第２緩急伝え車１８２は、図２において時計周り方向に回転する。第２緩急伝え車１８２が回転することにより、第３緩急伝え車１８４は、図２において反時計周り方向（図１において時計周り方向）に回転する。第３緩急伝え車１８４が、図１において時計周り方向に回転することにより、緩急針歯車部１８６ａは、図１において反時計周り方向に回転する。緩急針歯車部１８６ａが、図１において反時計周り方向に回転すると、ひげぜんまい１４０ｂの外側端部に近い部分と、ひげ棒１８６ｂとの接触位置が変化して、ひげぜんまい１４０ｂの有効長さが短くなり、時計の歩度を進めることができる。
【００３２】
図１および図３を参照すると、ぜんまい１２２の動力により回転する香箱歯車１２６の回転は、脱進調速装置（てんぷ１４０、アンクル１３６、がんぎ車１３４）によって制御される。香箱歯車１２６の回転により、表輪列（二番車１２４、三番車１３１、四番車１３２）が回転する。更に、表輪列の回転により、裏輪列（日の裏車、筒車２３０）が回転する。表輪列及び裏輪列の回転によって、時針、分針、秒針などの指針により時刻情報を表示することができる。
【実施例】
【００３３】
本発明を具体化する１つの実施例として、ここに図示した本発明の機械式時計の実施例は、下記の条件で構成されている。
ぜんまい１２２の巻き数＝７巻き；
香箱歯車１２６の歯数＝８４；
香箱伝え歯車１２７の歯数＝２４；
香箱戻し歯車１２５の歯数＝２０；
第１太陽歯車１５２の歯数＝４０；
第１太陽かな１５４の歯数＝１４；
第２太陽歯車１６２の歯数＝１８；
第２太陽かな１６４の歯数＝７；
遊星中間歯車１７０の歯数＝４０；
第１遊星車１７２の歯数＝１４；
第２遊星車１７４の歯数＝９；
第１緩急伝え車１８０の歯数＝５０；
第２緩急伝え歯車１８２ａの歯数＝６０；
第２緩急伝えかな１８２ｂの歯数＝８；
第３緩急伝え歯車１８４ａの歯数＝６０；
第３緩急伝えかな１８４ｂの歯数＝８；
緩急針歯車部１８６ａの歯数（全周に歯を形成したと仮定したときの歯数）＝１９０；
緩急戻しかな１９０ａの歯数＝２０；
緩急戻し歯車１９０ｂの歯数＝２４。
【００３４】
この実施例では、香箱歯車１２６から緩急針歯車部１８６ａまでの減速比は、１／９０００である。本発明の機械式時計では、上記の各歯車・各かなの歯数を変えることにより、緩急針の回転可能な角度の範囲を変えることができる。この実施例では、緩急針１８６の回転可能な角度の範囲は、約２度である。すなわち、ぜんまい１２２がほどけて、香箱歯車１２６が７回転すると、緩急針１８６は約２度回転することができる。同様に、角穴車１３０が回転して香箱真１２４が７回転すると、緩急針１８６は約２度回転することができる。このように構成することにより、時計の歩度を自動的に調整することができる。
【００３５】
図５を参照すると、本発明の機械式時計の実施例において、全巻からぜんまいがほどけるときにおける経過時間と、時計の歩度の関係を示すグラフが示されている。ぜんまい１２２の巻き数を７巻きとしたとき、機械式時計の持続時間は約５０時間である。ぜんまいが全巻の状態では、時計の歩度は「０秒／日」（進みも遅れも発生しない状態）になるように調整したとする。全巻からぜんまいがほどけて５０時間経過したとき、時計の歩度が「−２０秒／日」（１日につき２０秒遅れる状態）になるように調整したとする。このような時計では、緩急針の回転可能な角度の範囲は、時計の歩度を「０秒／日」から「−２０秒／日」まで変化するように設定するのがよい。緩急針の回転可能な角度の範囲は、ひげぜんまい１４０ｂの寸法、形状と、香箱歯車１２６から緩急針歯車部１８６ａまでの減速比とを、計算又は実験により求めることによって設定することができる。すなわち、全巻からぜんまいがほどけるときにおける経過時間と、時計の歩度の関係を求め、さらに、ひげぜんまい１４０ｂの有効長さと、時計の歩度のとの間の関係を求め、必要な歩度調整範囲を計算して、その歩度調整範囲に対応するひげぜんまい１４０ｂの有効長さの変化量を求め、その変化量に対応する緩急針歯車部１８６ａの回転角度を計算することによって、香箱歯車１２６から緩急針歯車部１８６ａまでの減速比を設定することができる。
【産業上の利用可能性】
【００３６】
本発明により、時計の歩度を自動的に調整することができるように構成した機械式時計を製造することができる。また、本発明により、小型で薄型の構成部品を用いて、機械式時計のサイズを大きくすることなしに、高精度の機械式時計を製造することができる。
【図面の簡単な説明】
【００３７】
【図１】本発明の機械式時計の実施の形態において、ムーブメントの表側の概略構造を示す部分平面図である。
【図２】本発明の機械式時計の実施の形態において、ムーブメントの裏側の概略構造を示す部分平面図である。
【図３】本発明の機械式時計の実施の形態において、香箱車と、てんぷの部分を示す概略部分断面図である。
【図４】本発明の機械式時計の実施の形態において、香箱車と、てんぷの部分の作動を示す概略ブロック図である。
【図５】本発明の機械式時計の実施例において、全巻からぜんまいがほどけるときにおける経過時間と、時計の歩度の関係を示すグラフである。
【符号の説明】
【００３８】
１００  ムーブメント
１０２  地板
１１８  巻真
１２０  香箱車
１２２  ぜんまい
１２４  香箱真
１２５  香箱戻し歯車
１２６  香箱歯車
１２７  香箱伝え歯車
１３０  角穴車
１４０  てんぷ
１５０  第１太陽車
１５２  第１太陽歯車
１５４  第１太陽かな
１６０  第２太陽車
１６２  第２太陽歯車
１６４  第２太陽かな
１７０  遊星中間歯車
１７２  第１遊星車
１７４  第２遊星車
１７６  遊星車
１８０  第１緩急伝え車
１８２  第２緩急伝え車
１８４  第３緩急伝え車
１８６  緩急針
１９０  緩急戻し車
【図１】
2007187547.tif 000003
【図２】
2007187547.tif 000004
【図３】
2007187547.tif 000005
【図４】
2007187547.tif 000006
【図５】
2007187547.tif 000007